(57)【要約】      （修正有）【課題】身体の不自由な方が、出来るだけ人の手を煩わすことなく、人として気兼ねなく自分の意志によって食事ができる、ポータブル回転膳を提供する。【解決手段】ポータブル回転膳は上部回転膳と土台６からなり、取り外し可能な中仕切りに接する上部回転膳の周縁部の幅広部１０に、つかみやすく回転しやすいストッパーを兼ねた取手を設け、軸受板となる土台６の中空パイプ７に、上部回転膳の下へ突き抜けるように取り付けた回転支持棒３を差し込み、回転支持棒の下部には、回転時に必要な空間を残し、左右自在に回転させる事が出来るように構成されている。【選択図】図２
0003213737.tif 000002
【実用新案登録請求の範囲】
【請求項１】
上部回転膳（２）と、上部回転膳（２）の中央に下へ突き抜けた回転支持部（３）と、上部回転膳（２）が左右に回転するように回転支持部（３）が差し込まれる軸受板の土台（６）から立ちあがる回転支持受部（７）と、上部回転膳（２）に取り外しができるよう設けられた中仕切り（４）と、中仕切り（４）が接する上部回転膳（２）の周縁部の幅広部（１０）から外側へ延びたラセン状棒（８）と、ラセン状棒（８）にねじ込まれ取り外し且つ回転可能な取手（５）とを備え、身体の不自由さに合わせて取手（５）の向きを変えるこが出来ることを特徴とするポータブル回転膳。
【請求項２】
上部回転膳（２）の周縁部の幅広部（１０）に取り付けるラセン状棒（８）にねじ込まれた取手（５）は平坦部（１１）を有し、平坦部（１１）の表または裏には文字や絵柄が描かれていることを特徴とする請求項１に記載のポータブル回転膳。
【請求項３】
取り外し可能な中仕切り（４）の上部回転膳（２）の周縁部の幅広部（１０）に接する部分の横幅は、回転支持部（３）に接する部分の横幅より広くすることを特徴とする請求項１に記載のポータブル回転膳。
【考案の詳細な説明】
【技術分野】
【０００１】  本考案はいずれの人にも使用可能ではあるが身体の不自由な人の場合に備えたポータブル回転膳に関する。
【背景技術】
【０００２】  一つの回転盆に品数に応じて皿等に盛り提供されている回転式配膳台はこれまで見ることはある。身体の不自由な方など出来るだけ自分で食事を容易にするため、食器の数々を載せるのではなく回転膳を器として中仕切りによりお惣菜を盛り付け取手で向こう側にある食材を手前に移動させる事が出来るものである。
【先行技術文献】
【特許文献】
【０００３】
【特許文献１】特開２０１４−１７６５２４号公報
【考案の概要】
【考案が解決しようとする課題】
【０００４】  回転盆を目にすることはあるが、どのような食事時の形態であれ介添えが付き食事に於いての不自由さが何倍にも辛く、介護する人に気兼ねすることも大変である。出来るだけ自分の意志で自由に食事が出来ることが望ましい。
【課題を解決するための手段】
【０００５】  本考案のポータブル回転膳は、膳に６か所程の中仕切りを設け、食事の折、回転膳の上に数種類のお惣菜を盛り付けて提供する。器は使用しない。身体の不自由な人の場合、お膳の向こう側にあるお惣菜を手前に引き寄せることは困難であり、介添えが必要となる。【０００６】  ポータブル回転膳には、中仕切りが接する周縁部の数ヶ所に取手を設け不自由な身体でも軽く膳を左右に回転させることにより向こう側のお惣菜を手前に移動させ食することができる。【０００７】  取手の動きはラセン状棒にねじ込むため真横、真縦方向等自在であり取手の平面部に味気ない食事時間を少しでも楽しく富士山、桜、ウサギ、亀、５＋３等、色付け裏、表に表せば取手は使用後取り外し可能な為、毎日違う柄を楽しむ事が出来、身近な物に目がいくことに認知症の予防の一助となる。【０００８】  回転は上部回転膳の下部に取り付けた回転支持棒（回転支持部）を軸受板となる土台の中空パイプ（回転支持受部）に入れて回転させることが出来る。中仕切りはお惣菜の量などで取り外し可能である。軸受板となる土台の下にゴム等つけるとより安定感が増す。
【考案の効果】
【０００９】  上述のようにポータブル回転膳は、子供から身体の不自由を感じる幅広い人に利用可能である。又人の手を借りず出来ることに自信がつき、人生の大切な食の時間の楽しみを気兼ねなく送る事が出来る。取手の平面部には、色のはいった絵柄などあしらえば、毎日の事である頭の運動の手助けとなり認知症予防の一端を担えるでありましょう。回転膳が食器のため、また中仕切り、取手は取り外し可能なため食後の洗浄が楽であり非常に衛生的ある。
【図面の簡単な説明】
【００１０】
【図１】本考案のポータブル回転膳の実施例を示す斜視図である。
【図２】ポータブル回転膳の膳下の回転支持棒と軸受板となる土台を示す斜視図である。
【図３】ポータブル回転膳の周縁部の幅広部から出る取手を示す図である。
【考案を実施するための形態】
【００１１】  ポータブル回転膳は、中仕切り、取手、ポータブル回転膳、軸受板となる土台がすべて着脱出来る衛生的なお膳である。以下の実施例に記載した数字はあくまで１つの例であり本考案はこれらの数字に限定されるものではない。
【実施例】
【００１２】  １は、本考案のポータブル回転膳であり、２は上部回転膳を示し、３は上部回転膳２を支え回転させる回転支持部となる回転支持棒であり、上部回転膳２の中心から下へ突き抜けている。４は取り外し可能な中仕切り、５は上部回転膳２を左右に回転させる取手、６は上部回転膳２の軸受板となる土台であり、７は軸受板となる土台６の中心に設けられた上部回転膳２からの回転支持棒３を差し込むための回転支持受部となる中空パイプである。中空パイプ７の下５ｍｍ程度は、上部回転膳２の左右回転の為、回転支持棒３はそこまでで止める。８は上部回転膳２の周縁部の幅広部１０から外側へ延びたラセン状棒である。ラセン状棒８には螺旋状に溝が形成されており取手５がねじ込まれている。こうすることで、取手５がラセン状棒８から取り外し且つ回転可能となり、取手５の向きを自由に変えるこが出来る。９は上部回転膳２の周縁部の幅狭部であり、１０は上部回転膳２の周縁部の幅広部である。１１は取手５の平坦部である。平坦部（１１）の表または裏には富士山、桜、ウサギ、亀、５＋３等の色付き文字や絵柄が描かれている。【００１３】  上部回転膳２の直径は、２８ｃｍら３０ｃｍする。上部回転膳２の中心には、直径５ｃｍの回転支持棒３が設けられ、上部回転膳２から下へ突き抜けている。上部回転膳２から延びる回転支持棒３の長さは２ｃｍ、軸受板となる土台６の中空パイプ７の長さは２．５ｃｍし、土台６に接する中空パイプ７の下から０．５ｃｍは左右に軽く回す事のできる遊びとして残す。土台６から上部回転膳２までの高さは、高くても６ｃｍとする。【００１４】  上部回転膳２の中心の回転支持棒３から５ｍｍ離し、又上部回転膳２の周縁部からも５ｍｍ離して、中仕切り４を上からはめ込むようにする。中仕切り４の回転支持棒３に接する部分の横幅は５ｍｍ、周縁部の幅広部１０に接する部分の横幅は１ｃｍとする。このように、中仕切り４の幅広部１０に接する部分の横幅を回転支持棒３に接する部分の横幅より広くすることで、ラセン状棒８を幅広部１０に取り付けるために上部回転膳２の周縁部内側から打ち込まれる釘などを隠すことができる。上部回転膳２の周縁部の中仕切り４が接する幅広部１０の高さは２ｃｍ、それ以外の幅狭部９の高さは、それぞれのお惣菜が取りやすいように１ｃｍから１．５ｃｍとする。【００１５】  幅広部１０の内側から、外径５ｍｍ、長さ２ｃｍのラセン状棒８を外側まで通し２ｃｍ幅の取手５を差し込む。この取手５は上部回転膳２のストッパーの役目もし、ラセン状棒８はどの部分でも、どの方向でもとめる事が出来る。軸受板の土台６の直径は、３０ｃｍから３２ｃｍとして上部回転膳２よりも外に出ることで安定感を与える。土台６の厚みは１ｃｍとし、動きを少なくするために裏に滑り止めを補足してもよい。【００１６】  なお、上記実施例では回転支持部を回転支持棒３とし、回転支持受部を中空パイプ７としたが、回転支持部を中空パイプとし、回転支持受部を回転支持受棒としてもよい。また、回転支持部と回転支持受部をともに棒状とし、例えば回転軸受で回転できるような構成としてもよい。
【産業上の利用可能性】
【００１７】  本考案のポータブルタブル回転膳は病院、介護施設、身体の不自由な方や幼児の食事用の道具として利用大である。又取手は単品にて提供すれば絵柄のバリエーションも多く頭の活性化に役立つことと理解する。
【符号の説明】
【００１８】１  ポータブル回転膳
２  上部回転膳
３  上部回転膳を支え回転させる回転支持棒（回転支持部）
４  取り外し可能な中仕切り
５  上部回転膳を回す取手
６  軸受板となる土台
７  上部回転膳の回転支持棒を入れる中空パイプ（回転支持受部）
８  上部回転膳の周縁部の幅広部に取り付けるラセン状棒
９  上部回転膳の周縁部の幅狭部
１０  上部回転膳の周縁部の幅広部
１１  取手の平坦部
【図１】
0003213737.tif 000003
【図２】
0003213737.tif 000004
【図３】
0003213737.tif 000005